(57)【要約】【課題】電気集塵器の装着脱が極めて円滑、容易な空気調和機を提供する。【解決手段】本体１１ａに着脱自在に取り付けられる電気集塵器１２を備え、前記本体１１ａの一側に突起１３を設け、前記電気集塵器１２の一端に前記突起１３に係止する凹み１４を設け、前記突起１３に凹み１４を係止した状態で前記電気集塵器１２の他端を上下させて前記電気集塵器１２の装着脱を行なうもので、電気集塵器１２の装着脱が突起１３を中心とした円運動としてできるので、着脱が極めて容易かつ確実にできる。【選択図】図１
2005155989.tif 000002
【特許請求の範囲】
【請求項１】
本体に着脱自在に取り付けられる電気集塵器を備え、前記本体の一側に係止部を設け、前記電気集塵器の一端に前記係止部に係止する被係止部を設け、前記係止部に前記被係止部を係止した状態で前記電気集塵器の他端を上下させて前記電気集塵器の装着脱を行なうことを特徴とする空気調和機。
【請求項２】
電気集塵器と本体のいずれか一方に円弧状の溝を設け、他方に前記溝内を摺動する略半球状の突起を設けた請求項１記載の空気調和機。
【請求項３】
電気集塵器の下部にハンドルを備えた請求項１又は２記載の空気調和機。
【請求項４】
電気集塵器の被係止部と反対側の側部にハンドルを備えた請求項１又は２記載の空気調和機。
【発明の詳細な説明】
【技術分野】
【０００１】
本発明は、空気調和機に関するもので、特に着脱自在の電気集塵器を有する空気調和機に関するものである。
【背景技術】
【０００２】
従来の、着脱自在の電気集塵器を備えた空気調和機として、図６に示されるようなものがあった。図６は、空気調和機の室内機６１の内部側面図を示すもので、比較的高い位置に設置された室内機６１の左右にはレール６９が設けられ、その左右のレール６９に比較的重量が重い電気集塵器６２を導き、その電気集塵器６２の下部に設けたハンドル６８にて上下の運動で、電気集塵器６２を装着脱していた（例えば、特許文献１参照）。
【特許文献１】特開２００３―１０７３１号公報
【発明の開示】
【発明が解決しようとする課題】
【０００３】
しかしながら、前記従来の構成では、室内の比較的高い位置に設置された空気調和機の室内機６１に、比較的重量の大きい電気集塵器６２をメンテナンス等の目的で装着脱することは、非常に困難であった。
【０００４】
本発明は、上記従来の課題を解決するもので、電気集塵器の装着脱が極めて容易な空気調和機を提供する事を目的とする。
【課題を解決するための手段】
【０００５】
前記従来の課題を解決するために、本発明の空気調和機は、本体に着脱自在に取り付けられる電気集塵器を備え、前記本体の一側に係止部を設け、前記電気集塵器の一端に前記係止部に係止する被係止部を設け、前記係止部に前記被係止部を係止した状態で前記電気集塵器の他端を上下させて前記電気集塵器の装着脱を行なうもので、電気集塵器の一端が係止部で支えられかつ電気集塵器の装着脱が係止部を中心とした円運動としてできるので、着脱が極めて容易になる。
【発明の効果】
【０００６】
本発明の電気集塵器を有する空気調和機の室内機は、電気集塵器の装着脱を円運動にすることにより、装着脱の容易性・確実性を向上させることができる。
【発明を実施するための最良の形態】
【０００７】
第１の発明は、本体に着脱自在に取り付けられる電気集塵器を備え、前記本体の一側に係止部を設け、前記電気集塵器の一端に前記係止部に係止する被係止部を設け、前記係止部に前記被係止部を係止した状態で前記電気集塵器の他端を上下させて前記電気集塵器の装着脱を行なうもので、電気集塵器の一端が係止部で支えられかつ電気集塵器の装着脱が係止部を中心とした円運動としてできるので、着脱が極めて容易になる。
【０００８】
第２の発明は、特に、第１の発明の電気集塵器と本体のいずれか一方に円弧状の溝を設け、他方に前記溝内を摺動する略半球状の突起を設けたもので、電気集塵器の装着脱時の円運動を誘導できるため、より円滑且つ確実な装着脱性を得ることができる。
【０００９】
第３の発明は、特に、第１又は第２の発明の電気集塵器の下部にハンドルを備えたもので、ハンドルで装着脱時の円運動を支援できるため、より円滑且つ確実な装着脱性を得ることができる。
【００１０】
第４の発明は、特に、第１又は第２の発明の電気集塵器の被係止部と反対側の側部にハンドルを備えたもので、ハンドルが被係止部から最も離れた位置になるので電気集塵器の装着脱時に手に加わる負担が大幅に軽減され、より円滑且つ確実な装着脱性を得ることができる。
【００１１】
以下、本発明の実施の形態について、図面を参照しながら説明する。なお、本実施の形態によって本発明が限定されるものではない。
【００１２】
（実施の形態１）
図１は、本発明の第１の実施の形態における空気調和機の室内機の部分正面図、図２は、同室内機に取り付けられる電気集塵器の他の例を示す部分正面図である。
【００１３】
図において、１２は、室内機１１の本体１１ａの前部に着脱自在に取り付けられる電気集塵器で、室内機１１の一側には係止部となる略円柱状の突起１３が設けられ、電気集塵器１２の一端には前記突起１３の径よりいくらか大きい径を持つ被係止部となる半円状の凹み１４が設けられている。
【００１４】
以上のように構成された空気調和機において、電気集塵器１２を本体１１ａに装着する時は、電気集塵器１２の一端に設けた凹み１４を、室内機１１側の突起１３にあてがい、突起１３を中心に電気集塵器１２の他端を下から上へ円運動を行うように持ち上げ、電気集塵器１２の同他端に設けた固定手段（図示せず）を室内機１１側に設けた被固定手段（図示せず）に固定する事により、容易に電気集塵器１２の室内機１１への装着を行なうことができる。
【００１５】
室内機１１より電気集塵器１２を取り外す時は、上記と逆の動作、即ち、固定手段と被固定手段との固定を解除し、電気集塵器１２の凹み１４を設けた側と反対側の端部を持って円弧を描く様に下方に下げ、前記凹み１４を突起１３から外すだけで、電気集塵器１２の室内機１１からの脱着が完了する。
【００１６】
本実施の形態によれば、電気集塵器１２の一端に設けた凹み１４を室内機１１に設けた突起１３にあてがう際、電気集塵器１２の他端が下方に位置しているので、電気集塵器１２の重心が下方にあり、作業の際安定して支えられる。そして電気集塵器１２の他端を上に持ち上げる時は、凹み１４が突起１３で保持されているので、作業者に電気集塵器１２の全重量が加わらず、容易に持ち上げる事ができるものである。
【００１７】
なお、半円状の凹み１４を図２のように円状の凹み若しくは穴１５であってもよい。
【００１８】
（実施の形態２）
図３は、本発明の第２の実施の形態における空気調和機の室内機の部分正面図である。なお上記実施の形態と同一部分については、同一符号を付してその説明を省略する。
【００１９】
本実施の形態は、図３に示すように、室内機１１上且つ装着脱時の円運動の軌道上に突起１３を中心とする半径を有する円弧状の溝１６を設け、一方電気集塵器１２の裏面且つ装着脱時の円運動時に前述溝１６内を摺動する半球状の突起１７を設けたものである。
【００２０】
以上の構成により、電気集塵器１２の突起１７が溝１６で案内されるので、電気集塵器１２を着脱する際の円運動が、より円滑・確実に行なうことができる。なお、突起１７と溝１６の配置を逆、即ち、本体１１ａ側に突起１７を、電気集塵器１２側に溝１６を設けても同様の効果が得られことは、言うまでも無い。
【００２１】
（実施の形態３）
図４は、本発明の第３の実施の形態におけるの室内機に取り付けられる電気集塵器の正面図である。なお上記実施の形態と同一部分については、同一符号を付してその説明を省略する。
【００２２】
本実施の形態では、電気集塵器１２の取り付け作業をさらに容易にする為に、図４に示すように電気集塵器１２の凹み１４より離れた位置で、かつ下部にハンドル１８を設けたもので、少ない力で円滑・確実に円運動を行なうことができる。
【００２３】
図５は、他の例を示すもので、ハンドル１９を、電気集塵器１２の凹み１４と反対側の側部に、しかも下部が開いた状態になるように設けたもので、ハンドル１９が凹み１４から最も離れた位置にあるので、手に加わる重量負担が軽減されしかも、左右どちらの手でも円滑・確実に円運動を行なうことができる。
【産業上の利用可能性】
【００２４】
以上のように、本発明にかかる空気調和機は、電気集塵器の装着脱が極めて円滑、容易かつ確実にできるので、比較的高い位置にメンテナンス等のために、装着脱を繰返す必要がある部品等を備えた各種機器に適用できる。
【図面の簡単な説明】
【００２５】
【図１】本発明の実施の形態１における空気調和機の室内機の部分正面図
【図２】同室内機に取り付けられる電気集塵器の他の例を示す部分正面図
【図３】本発明の実施の形態２における空気調和機の室内機の部分正面図
【図４】本発明の実施の形態３における空気調和機の室内機に取り付けられる電気集塵器の正面図
【図５】同室内機に取り付けられる電気集塵器の他の例を示す正面図
【図６】従来の空気調和機の室内機の内部構成を示す側面図
【符号の説明】
【００２６】
１１    室内機
１１ａ  本体
１２    電気集塵器
１３    突起（係止部）
１４    凹み（被係止部）
１５    穴（被係止部）
１６    溝
１７    突起
１８、１９  ハンドル
【図１】
2005155989.tif 000003
【図２】
2005155989.tif 000004
【図３】
2005155989.tif 000005
【図４】
2005155989.tif 000006
【図５】
2005155989.tif 000007
【図６】
2005155989.tif 000008